(57)【要約】【課題】トンネル掘削工事の進行を妨げることなく、効率良くトンネル覆工コンクリートを養生することのできる方法および装置を提供する。【解決手段】噴霧ノズル１２を有するアーチ状の噴霧アーム５をバックホウ３の可動ブーム４の先端部に取り付けて、覆工コンクリート１４表面に沿わせて、噴霧ノズル１２から覆工コンクリート１４表面に水Ｗを噴霧しつつ、バックホウ３をトンネル幅方向一方側に寄せてトンネル長手方向に移動して覆工コンクリート１４表面を保湿して養生し、トンネル幅方向他方側には搬出入路スペースＳを確保する。【選択図】    図１
2006009410.tif 000002
【特許請求の範囲】
【請求項１】
脱型した後のトンネル覆工コンクリートの表面に養生用液体を噴霧して該コンクリートを養生するトンネル覆工コンクリートの養生方法であって、
噴霧ノズルを有するアーチ状の噴霧アームを自走走行体の可動ブームの先端部に取り付けて、覆工コンクリート表面に沿わせて、前記噴霧ノズルから前記覆工コンクリート表面に養生用液体を噴霧しつつ、前記自走走行体をトンネル幅方向一方側に寄せてトンネル長手方向に移動して前記覆工コンクリート表面を保湿して養生するトンネル覆工コンクリートの養生方法。
【請求項２】
前記覆工コンクリートのトンネル幅方向に対して同時に片側半分以上の範囲に養生用液体を噴霧する請求項１に記載のトンネル覆工コンクリート養生方法。
【請求項３】
前記自走走行体がバックホウである請求項１または２に記載のトンネル覆工コンクリートの養生方法。
【請求項４】
脱型した後のトンネル覆工コンクリートの表面に養生用液体を噴霧して該コンクリートを養生するトンネル覆工コンクリートの養生装置であって、
自走走行体と、該自走走行体に設けられた可動ブームと、該可動ブームの先端部に回転可能に装着され、噴霧ノズルを有し、養生用液体供給源に接続されたアーチ状の噴霧アームとを備えたトンネル覆工コンクリートの養生装置。
【請求項５】
前記アーチ状の噴霧アームが複数の噴霧ユニットを回転可能に連結して構成され、該噴霧ユニットを回転移動させて拡縮可能にアーチ状に形成される請求項４に記載のトンネル覆工コンクリートの養生装置。
【請求項６】
前記養生用液体供給源が前記自走走行体に設けられた養生用液体タンクと噴霧用ポンプとからなる請求項４または５に記載のトンネル覆工コンクリートの養生装置。
【請求項７】
前記自走走行体がバックホウである請求項４〜６のいずれかに記載のトンネル覆工コンクリートの養生装置。
【発明の詳細な説明】
【技術分野】
【０００１】
本発明は、トンネル覆工コンクリートの養生方法および養生装置に関し、さらに詳しくは、トンネル掘削工事の進行を妨げることなく、脱型後のトンネル覆工コンクリートを効率良く養生することができるトンネル覆工コンクリートの養生方法および養生装置に関するものである。
【背景技術】
【０００２】
現在、トンネル掘削工事にはナトム工法が広く採用されている。ナトム工法の一例を示すと以下のとおりである。掘削機でトンネルを掘り進めながら、掘り終えた内壁にコンクリートを吹き付け、次いで内壁にアンカーボルトを打ち込こみ、再度コンクリートを吹き付けて内壁を保持、固定する。その後、この内壁に防水シートを張ってから型枠を取り付けて内壁と型枠の間に覆工コンクリートを打設して行く。吹き付けコンクリートの厚さは１０ｃｍ程度、覆工コンクリートの厚さは３０ｃｍ程度である。
【０００３】
ナトム工法は、このようにトンネルの掘削作業と壁面の保持、固定作業が並行して行なえるため安全であり、効率的な優れた工法といわれている。
【０００４】
しかし、型枠を外した後、覆工コンクリートの表面から急激に水分が蒸発するとひび割れが生じるので、これの防ぐために所定の期間養生する必要がある。
【０００５】
平面状のコンクリート面であれば、その上をビニールシートなどで覆って養生することができるが、トンネル壁面の場合は、このように養生するのは困難である。加えて、掘削施工がトンネル先端部で行なわれており、掘削により生じる土砂等をトンネルの外部に搬出するための車両等が養生の必要な覆工コンクリートを打設した区間を往来するため、養生施工するには時間的にもスペース的にも制約が多くなる。
【０００６】
トンネル覆工コンクリートの養生装置としては、トンネル内を移動可能な作業台車上に、トンネルのアーチ形状に沿って形成された散水管を、台車上のガイドに沿ってトンネル長手方向に移動させて、トンネル覆工コンクリートに水を散水するものが提案されている（特許文献１参照）。この提案では装置が大掛かりで複雑となるので広いスペースが必要となり、トンネル内部が狭くなり掘削した土砂等の搬出や資材等の搬出入に支障が生じてしまう。また、トンネル毎にトンネルのアーチ形状に沿わせるように散水管の位置を調整するのが困難で、作業に手間がかかるという問題があった。このように、従来の装置ではトンネルの掘削の進行を妨げることなく、トンネル覆工コンクリートを効率良く養生するのは困難であった。
【特許文献１】特開２００１−２４８３９８号公報
【発明の開示】
【発明が解決しようとする課題】
【０００７】
本発明の目的は、トンネル掘削工事の進行を妨げることなく、効率良くトンネル覆工コンクリートを養生することのできる方法および装置を提供することにある。
【課題を解決するための手段】
【０００８】
上記目的を達成するため本発明のトンネル覆工コンクリートの養生方法は、脱型した後のトンネル覆工コンクリートの表面に養生用液体を噴霧して該コンクリートを養生するトンネル覆工コンクリートの養生方法であって、噴霧ノズルを有するアーチ状の噴霧アームを自走走行体の可動ブームの先端部に取り付けて、覆工コンクリート表面に沿わせて、前記噴霧ノズルから前記覆工コンクリート表面に養生用液体を噴霧しつつ、前記自走走行体をトンネル幅方向一方側に寄せてトンネル長手方向に移動して前記覆工コンクリート表面を保湿して養生することを特徴とするものである。
【０００９】
また、本発明のトンネル覆工コンクリートの養生装置は、脱型した後のトンネル覆工コンクリートの表面に養生用液体を噴霧して該コンクリートを養生するトンネル覆工コンクリートの養生装置であって、自走走行体と、該自走走行体に設けられた可動ブームと、該可動ブームの先端部に回転可能に装着され、噴霧ノズルを有し、養生用液体供給源に接続されたアーチ状の噴霧アームとを備えたことを特徴とするものである。
【発明の効果】
【００１０】
本発明のトンネル覆工コンクリートの養生方法によれば、噴霧ノズルを有するアーチ状の噴霧アームを自走走行体の可動ブームの先端部に取り付けて、覆工コンクリート表面に沿わせて、この噴霧ノズルから覆工コンクリート表面に養生用液体を噴霧するので、覆工コンクリート表面にすき間なく養生用液体を噴霧して保湿できるので効率の良い養生が可能となる。
【００１１】
また、噴霧ノズルから覆工コンクリート表面に養生用液体を噴霧しつつ、自走走行体をトンネル幅方向一方側に寄せてトンネル長手方向に移動するので、トンネル幅方向他方側のスペースを常時、掘削施工による土砂等の搬出路等として使用でき、トンネル掘削工事の進行に支障が生じない。
【００１２】
本発明のトンネル覆工コンクリートの養生装置によれば、自走走行体と、この自走走行体に設けられた可動ブームと、噴霧ノズルを有し、可動ブームの先端部に回転可能に装着され、養生用液体供給源に接続されたアーチ状の噴霧アームとを備えたので覆工コンクリート表面に沿わせて噴霧ノズルから養生用液体を噴霧することで、覆工コンクリート表面にすき間なく養生用液体を噴霧して保湿でき、効率の良い養生が可能となる。
【００１３】
また、噴霧ノズルから覆工コンクリート表面に養生用液体を噴霧しつつ、自走走行体をトンネル幅方向一方側に寄せてトンネル長手方向に移動することができるので、トンネル幅方向他方側のスペースを常時、掘削施工による土砂等の搬出路等として使用でき、トンネル掘削工事の進行に支障が生じない。
【発明を実施するための最良の形態】
【００１４】
以下、本発明のトンネル覆工コンクリートの養生方法および養生装置について図に示した実施形態に基づいて説明する。
【００１５】
図８に一例を示すようにトンネル掘削工事では、トンネル１の先端部での掘削施工、掘削施工が終了した区間での覆工コンクリート打設施工、覆工コンクリート打設施工が終了してコンクリート型枠が脱型された区間での覆工コンクリートの養生施工が並行して行われる。
【００１６】
掘削施工により発生した土砂Ｄ等がトンネル１の先端部の掘削施工区間Ａから覆工コンクリート打設施工区間Ｂおよび覆工コンクリート養生施工区間Ｃを経てトラックなどによってトンネル１の外部に搬出される。また、それぞれの施工区間Ａ、Ｂ、Ｃには工事用の資材や設備が搬入、搬出される。したがって、覆工コンクリート養生施工区間Ｃを頻繁に工事用のトラックなどが往来することになる。
【００１７】
図３および図４に本発明の覆工コンクリートの養生装置２の一例を示す。この養生装置２は一般的なバックホウ３のブーム４先端に噴霧アーム５を装着したものである。バックホウ３には養生用水タンク６と噴霧用ポンプ７が備わり、養生用水タンク６から水を供給する水供給管（図示せず）を通じて噴霧用ポンプ７によって噴霧アーム５に水が供給される。
【００１８】
噴霧アーム５は複数の噴霧ユニット９が長手方向に連結して、噴霧ユニット用油圧シリンダ１０によってそれぞれの連結リンク１１を中心に回転可能となっている。それぞれの噴霧ユニット９には噴霧ノズル１２が備わっている。この噴霧アーム５はバックホウ３のブーム４に対して噴霧アーム用油圧シリンダ８によって回転可能となっている。
【００１９】
図１に本発明の養生装置２による養生方法をトンネル１の幅方向縦断面図で示す。バックホウ３のブーム４に装着された噴霧アーム５を構成する複数の噴霧ユニット９が、噴霧ユニット用油圧シリンダ１０によって連結リンク１１を中心に回転移動することにより、噴霧アーム５が覆工コンクリート１４表面に沿うアーチ状に形成される。そして、噴霧アーム用油圧シリンダ８によって噴霧アーム５を回転移動させ、バックホウ３のブーム４を可動させて覆工コンクリート１４表面のトンネル幅方向片側半分以上を覆うように設定して、覆工コンクリート１４表面に近接させる。この状態で、養生装置２は噴霧アーム５の噴霧ノズル１２から水Ｗを噴霧しながらトンネル幅方向片側に寄ってトンネル長手方向に走行する。これにより、覆工コンクリート１４のトンネル幅方向に対して同時に片側半分以上の範囲に水Ｗを噴霧することができる。
【００２０】
この養生方法を図２によってトンネル平面方向横断面図で示す。養生装置２は養生施工区間Ｃをトンネル幅方向片側一方に寄りながら水Ｗを噴霧しつつ、トンネル長手方向に進行して、養生施工区間Ｃの先端までゆくと旋回して片側他方に寄りながら戻ってくる。このように養生施工区間Ｃを一往復（１サイクル）することで、この養生施工区間Ｃの覆工コンクリート１４表面全体に水Ｗが噴霧されて、表面が保湿されることになる。尚、噴霧する養生用液体としては水Ｗ以外にもコンクリート養生剤を用いることができる。
【００２１】
この養生施工は、トンネル１内の湿度等の環境によって変化するが、例えば、長さ７０ｍの養生施工区間Ｃを約１〜４ｍ／ｍｉｎの走行速度で走行しつつ、水を噴霧する１サイクルの養生施工を６時間毎に繰り返し行ない、脱型後、少なくとも３日間、好ましくは１週間程度継続する。この養生施工によってトンネル覆工コンクリート１４は脱型後に急激に表面が乾燥することがなく、保湿されてクラックが発生しないように養生される。
【００２２】
この方法では養生装置２がトンネル幅方向一方側に寄って長手方向に往復するので、幅方向他方側には常に、図１に示すように搬出入路スペースＳを確保できる。掘削施工により発生する土砂等の搬出や各施工区間への資材、設備の搬出入は搬出入路スペースＳを通じて行われるのでトンネル掘削工事の進行に支障が生じない。
【００２３】
即ち、本発明ではトンネル幅方向一方側が覆工コンクリート１４の養生施工領域、他方側が土砂や、資材等の搬出入領域となる。
【００２４】
図５に示すように噴霧アーム５はそれぞれの噴霧ユニット９を連結リンク１１を中心に回転移動して覆工コンクリート１４表面に沿うアーチ状に形成されるので、覆工コンクリート１４表面にすき間なく水Ｗを噴霧できて効率の良い養生が可能となる。この噴霧アーム５のアーチ形状は拡縮可能なので様々な大きさ、形状のトンネル１に対応できる。
【００２５】
また、噴霧アーム５は図５に示す拡張した状態から噴霧ユニット用油圧シリンダ１０で噴霧ユニット９を回転可動させて図６に示すように小さく格納することもできる。これにより、養生装置２を運搬する場合や施工現場で噴霧しない等の場合には小さく格納して養生装置２の移動を容易にすることができる。
【００２６】
噴霧アーム５の噴霧ノズル１２と噴霧対象の覆工コンクリート１４表面との距離は、レーザー式距離測定装置などを用いることによって、常時、所定の距離を維持するように制御することができる。また、噴霧ノズル１２を可動式にして噴霧方向を制御するようにしてもよい。噴霧ノズル１２にエアノズルを近接して設けて、エアノズルから噴出される空気によって噴霧方向を変えるようにすることもできる。
【００２７】
養生施工区間Ｃを往来するトラックなどがない場合には、図７に示すような噴霧ユニット９の両端側に延びる延長噴霧ユニット１３を取り付けることでトンネルの覆工コンクリート１４表面のトンネル幅方向全範囲をほぼ覆うようにすることもできる。この場合は、養生装置２をトンネル幅方向中央部をトンネル長手方向に一方向に進行させることで、養生施工の１サイクルを行うことができる。
【００２８】
この養生装置２は既存のバックホウ３を利用しているので、コストを大幅に軽減することができ、バックホウ３の下部走行体は、その場で旋回できるので狭いトンネル１内でも小回りが可能であり、養生施工の効率を向上させることができる。
【００２９】
なお、本実施形態では、養生装置２にバックホウ３を利用しているが、バックホウ３に限らず、その他の自走走行体を用いることができる。また、バックホウ３に養生用水タンク６や噴霧用ポンプ７を装備せずに、別の場所に設置するようにしてもよい。
【図面の簡単な説明】
【００３０】
【図１】本発明の養生装置による養生方法を示すトンネル幅方向縦断面図である。
【図２】本発明の養生装置による養生方法を示すトンネル平面方向横断面図である。
【図３】本発明の養生装置の一例を示す正面図である。
【図４】図３の側面図である。
【図５】本発明に係る噴霧アームを拡張した状態を示す正面図である。
【図６】図４の噴霧アームを格納した状態を示す正面図である。
【図７】本発明の養生装置の噴霧アームに延長噴霧ユニットを取り付けた状態を示す正面図である。
【図８】トンネルの掘削現場全体の状況を模式的に説明するトンネル平面方向横断面図である。
【符号の説明】
【００３１】
１  トンネル
２  養生装置
３  バックホウ
４  ブーム
５  噴霧アーム
６  養生用水タンク
７  噴霧用ポンプ
８  噴霧アーム用油圧シリンダ
９  噴霧ユニット
１０  噴霧ユニット用油圧シリンダ
１１  連結リンク
１２  噴霧ノズル
１３  延長噴霧ユニット
１４  覆工コンクリート
【図１】
2006009410.tif 000003
【図２】
2006009410.tif 000004
【図３】
2006009410.tif 000005
【図４】
2006009410.tif 000006
【図５】
2006009410.tif 000007
【図６】
2006009410.tif 000008
【図７】
2006009410.tif 000009
【図８】
2006009410.tif 000010